(57)【要約】化学生成物を配合し、計量分配位置に計量分配する方法およびシステムが開示される。１または２以上の化学的コンセントレートを使用して、化学生成物を配合する。化学的コンセントレートをコンセントレート容器中に貯蔵し、関連するコンセントレートポンプにより配合装置に供給することができる。コンセントレートをマニホールドを通して、配合装置に送る。配合装置は出口バルブを有する計量分配ホースを通して計量分配位置に化学的コンセントレートを排出する。計量分配位置はジャグまたはドラムであることができる。流量計を配合装置と計量分配ホースとの間に接続する。流量計は計量分配ホースを通して流れる化学成分コンセントレートをモニターし、各化学成分コンセントレートに関連する体積情報を測定する。流量コントローラは流量計が発生した体積情報を解析し、計量分配位置に計量分配される各化学的コンセントレートの体積をコントロールする。
2005506895.tif 000002
【特許請求の範囲】
【請求項１】
複数の化学成分コンセントレートを使用する化学生成物を配合する配合装置と；
配合物と計量分配ホースとの間を操作可能に接続する流量計であって；計量分配ホースは化学成分コンセントレートを計量分配位置に計量分配し、流量計は計量分配ホースを通して流れる化学成分コンセントレートをモニターし、且つ各化学成分コンセントレートに関連する体積（volumetric）情報を測定するものと；
流量計が発生した体積情報を解析し、且つ計量分配位置に計量分配される各化学成分コンセントレートの体積をコントロールする流量コントローラと：
を含む、計量分配位置において化学生成物を形成する化学的計量分配システム。
【請求項２】
ヒト−機械インターフェースを更に含み、ヒト−機械インターフェースは流量計が測定した体積情報を受取り、そしてグラフィックユーザインターフェース上に体積情報を提示し、許可ユーザはグラフィックユーザインターフェースを通してヒト−機械インターフェースと相互作用して配合装置の作動をモニターすることができる、請求項１に記載の化学的計量分配システム。
【請求項３】
ヒト−機械インターフェースが受取った体積情報が計量分配位置に計量分配された複数の化学成分コンセントレートの各々に関連するアカウントデータの形態である、請求項２に記載の化学的計量分配システム。
【請求項４】
アカウントデータが計量分配位置に計量分配された複数の化学成分コンセントレートの各々の体積に対する不足額に関連する財政上の情報に関する、請求項３に記載の化学的計量分配システム。
【請求項５】
ヒト−機械インターフェースが受取った体積情報が、計量分配位置に計量分配された複数の化学成分コンセントレートの各々に関連する化学的データの形態である、請求項２に記載の化学的計量分配システム。
【請求項６】
許可ユーザが配合装置に入力された命令を通して化学的計量分配システムをコントロールできるように、ヒト−機械インターフェースが配合装置の１構成成分である、請求項２に記載の化学的計量分配システム。
【請求項７】
ユニバーサル通信装置を更に含み、このシステム上の計量分配動作を遠隔位置から操作し、限定できるように、ユニバーサル通信装置はヒト−機械インターフェースをネットワーク接続にわたってコーポレートサーバに接続する、請求項２に記載の化学的計量分配システム。
【請求項８】
複数のコンセントレートポンプを更に含み、各コンセントレートポンプは複数の化学成分コンセントレートの１つに関連し、配合装置から伝送された命令を受取ったとき、コンセントレート容器から関連する化学成分コンセントレートを抽出する、請求項１に記載の化学的計量分配システム。
【請求項９】
計量分配位置が充填ステーションに位置するジャグである、請求項１に記載の化学的計量分配システム。
【請求項１０】
計量分配位置がドラムである、請求項１に記載の化学的計量分配システム。
【請求項１１】
コントローラが受取った情報が、所定の時点における計量分配位置の１または２以上の他の化学成分コンセントレートに関する、化学成分コンセントレートの現在の質量（重量）％に関係し、計量分配位置において所定の質量（重量）％の化学成分コンセントレートを有する化学生成物が形成するように、コントローラは期待した質量（重量）％に対して質量（重量）％を解析して、計量分配ホースを通して流れる化学成分コンセントレートの体積を調節する、請求項１に記載の化学的計量分配システム。
【請求項１２】
現在の質量（重量）％が期待した質量（重量）％より低い場合、コントローラが計量分配ホースを通して流れる化学成分コンセントレートの体積を増加させる、請求項１１に記載の化学的計量分配システム。
【請求項１３】
現在の質量（重量）％が期待した質量（重量）％より大きい場合、コントローラが計量分配ホースを通る化学成分コンセントレートの流れを停止させる、請求項１１に記載の化学的計量分配システム。
【請求項１４】
化学成分コンセントレートをコンセントレート容器からマニホールドに移し、
化学成分コンセントレートをマニホールドから計量分配ホースを通して計量分配位置に送り、
マニホールドと計量分配ホースとの間を流れる化学成分コンセントレートを検知して、化学成分コンセントレートに関連する体積情報を測定し、
体積情報を解析して現在の質量（重量）％の化学成分コンセントレートを計量分配位置に計量分配させ、そして
所定の質量（重量）％の化学成分コンセントレートを有する化学生成物が形成するように、計量分配位置への化学成分コンセントレートの流れをコントロールする、
を含む、計量分配位置において化学生成物を形成する方法。
【請求項１５】
計量分配位置に計量分配される化学成分コンセントレートの体積の配送プルーフが記録されるように、体積情報をレコードにログインすることを更に含む、請求項１４に記載の方法。
【請求項１６】
レコードにログインされた体積情報を解析して、化学成分コンセントレートに関連するアカウントデータを発生させることを更に含む、請求項１５に記載の方法。
【請求項１７】
アカウントデータが、計量分配位置に計量分配された化学成分コンセントレートの体積についての不足額に関連する財政上の情報に関する、請求項１６に記載の方法。
【請求項１８】
所定の時点において計量分配位置に計量分配された１または２以上の他の化学成分コンセントレートに関係して、化学成分コンセントレートの現在の質量（重量）％を取り、そして解析行為が現在の質量（重量）％を所定の時点における期待した質量（重量）％と比較することを含む、請求項１４に記載の方法。
【請求項１９】
コントロール行為が、所定の質量（重量）％の化学成分コンセントレートを有する化学生成物が形成されるように、計量分配位置への化学成分コンセントレートの流れを調節することを含む、請求項１８に記載の方法。
【請求項２０】
調節行為が、現在の質量（重量）％が期待した質量（重量）％より低い場合、計量分配位置への化学成分コンセントレートの流れを維持することを含む、請求項１９に記載の方法。
【請求項２１】
調節行為が、現在の質量（重量）％が期待した質量（重量）％より大きいか、あるいはそれに等しい場合、コンセントレート容器とマニホールドとの間の化学成分コンセントレートの流れを停止することを含む、請求項１９に記載の方法。
【請求項２２】
計量分配位置が充填ステーションに位置するジャグである、請求項１４に記載の方法。
【請求項２３】
計量分配位置がドラムである、請求項１４に記載の方法。
【請求項２４】
化学成分コンセントレートを移し、通過させ、解析し、そしてコントロールする行為が、複数の化学成分コンセントレートについて同時に実施される、請求項１４に記載の方法。
【請求項２５】
計量分配ホースを通して流れる各化学成分コンセントレートをモニターして、各化学成分コンセントレートの現在の質量（重量）％を計算し、そして
所定の質量（重量）％の各化学成分コンセントレートを有する化学生成物が形成するように、計量分配ホースを通して流れる各化学成分コンセントレートの体積をコントロールする、
を含む、計量分配ホースを通して複数の化学成分コンセントレートを計量分配位置に計量分配することによって、計量分配位置において化学生成物を形成する方法。
【請求項２６】
モニター行為が各成分コンセントレートに関連する較正流れファクターに基づいて各成分コンセントレートの現在の質量（重量）％を計算し、ここで較正流れファクターは各成分コンセントレートの比重を考慮する、請求項２５に記載の方法。
【請求項２７】
コントロール行為が、各成分コンセントレートの現在の質量（重量）％を各成分コンセントレートに関連する所定の質量（重量）％に対して比較することを含む、請求項２６に記載の方法。
【請求項２８】
調節行為が、特定の化学成分コンセントレートの現在の質量（重量）％が特定の化学成分コンセントレートに関連する所定の質量（重量）％より低い場合、計量分配ホースを通して流れる特定の化学成分コンセントレートの体積を増加させることを含む、請求項２７に記載の方法。
【請求項２９】
調節行為が、特定の化学成分コンセントレートの現在の質量（重量）％が特定の化学成分コンセントレートに関連する所定の質量（重量）％より大きいか、あるいはそれに等しい場合、計量分配ホースを通る特定の化学成分コンセントレートの流れを停止させることを含む、請求項２７に記載の方法。
【請求項３０】
コンピュータプロセスが、
化学成分コンセントレートをコンセントレート容器からマニホールドに移し、
化学成分コンセントレートをマニホールドから計量分配ホースを通して計量分配位置に送り、
計量分配ホースを通して流れる化学成分コンセントレートを検知して、化学成分コンセントレートに関連する体積情報を測定し、
体積情報を解析して現在の質量（重量）％の化学成分コンセントレートを計量分配位置に計量分配させ、そして
所定の質量（重量）％の化学成分コンセントレートを有する化学生成物が形成するように、計量分配位置への化学成分コンセントレートの流れをコントロールする、
ことを含む、計算システムにより読取り可能であり、コンピュータプログラムをコード化してコンピュータプロセスを実行して、計量分配位置において化学生成物を形成する、コンピュータプログラム・ストレージ媒体。
【請求項３１】
コンピュータプロセスが、計量分配位置に計量分配される化学成分コンセントレートの体積の配送プルーフが記録されるように、体積情報をレコードにログインすることを更に含む、請求項３０に記載のコンピュータプログラム・ストレージ媒体。
【請求項３２】
コンピュータプロセスが、レコードにログインされた体積情報を解析して、化学成分コンセントレートに関連するアカウントデータを発生させることを更に含む、請求項３１に記載のコンピュータプログラム・ストレージ媒体。
【請求項３３】
アカウントデータが、計量分配位置に計量分配された化学成分コンセントレートの体積についての不足額に関連する財政上の情報に関する、請求項３２に記載のコンピュータプログラム・ストレージ媒体。
【請求項３４】
所定の時点において計量分配位置への１または２以上の他の化学成分コンセントレートに関係して、化学成分コンセントレートの現在の質量（重量）％を取り、そして解析行為が現在の質量（重量）％を所定の時点における期待した質量（重量）％と比較することを含む、請求項３０に記載のコンピュータプログラム・ストレージ媒体。
【請求項３５】
コントロール行為が、所定の質量（重量）％の化学成分コンセントレートを有する化学生成物が形成するように、計量分配位置に計量分配された化学成分コンセントレートの体積を調節することを含む、請求項３４に記載のコンピュータプログラム・ストレージ媒体。
【請求項３６】
調節行為が、現在の質量（重量）％が期待した質量（重量）％より低い場合、計量分配位置に流れる化学成分コンセントレートの流れを維持することを含む、請求項３５に記載のコンピュータプログラム・ストレージ媒体。
【請求項３７】
調節行為が、現在の質量（重量）％が期待した質量（重量）％より大きい場合、計量分配位置への化学成分コンセントレートの流れを停止することを含む、請求項３５に記載のコンピュータプログラム・ストレージ媒体。
【発明の詳細な説明】
【技術分野】
【０００１】
本発明は、一般に化学生成物を計量分配することに関し、更に詳しくは、化学生成物の配合をモニターし、コントロールすることに関する。
【背景技術】
【０００２】
種々の化学的コンセントレートから構成された化学生成物を使用して、食品および飲料製造装置と、食品および飲料製品を製造するプラントにおける全ての関連する環境的表面とをクリーニングまたは消毒することができる。これを達成するために、オンサイト配合システムは、特定の目的に適した処方または計画に従い１または２以上の化学成分コンセントレートを組み合わせることによって、化学生成物を調製する。典型的には、従来の配合システムは、配合システム上にローカル的に前もって貯蔵された命令に応答して、化学成分コンセントレートからこのような化学生成物を配合する。
【０００３】
従来の配合システムは、時間ベースの方法を使用して化学成分コンセントレートを計量分配（dispense）位置に計量分配して化学生成物を調製し、ここで化学成分コンセントレートは計量分配位置において組み合わされて化学生成物を形成する。化学成分コンセントレートを計量分配位置に計量分配する、このような時間ベースの方法は間接的であり、そして化学生成物の形成に使用された成分コンセントレートの配送（delivery）プルーフを提供することができない。それ自体、これらの化学的計量分配システムにより配合された化学生成物は、真の販売当たりの基準（per-sale basis）で顧客に販売することができない。更に、時間ベースの方法は、例えば、化学生成物が計量分配位置において形成されているとき、特定の化学成分コンセントレートの供給物が使い尽くされた場合、不正確な結果を生ずることがある。
【発明の開示】
【課題を解決するための手段】
【０００４】
本発明によれば、上記および他の問題は流れベース化学的計量分配システムにより解決される。一般に、流れベース化学的計量分配システムは、１または２以上の化学成分コンセントレートを使用して化学生成物を配合する。化学成分コンセントレートは、コンセントレート容器から計量分配ホースに供給され、ここで計量分配ホースは、それを通ってコンセントレートを計量分配位置に計量分配するための出口バルブを有する。容器と計量分配ホースとの間の成分の流れは、流れベース化学的計量分配システムによりモニターされる。流れベース化学的計量分配システムは、化学生成物を形成するために使用される各化学成分コンセントレートに関連する体積情報を測定する。次いで、流れベース化学的計量分配システムは、この体積情報を使用して、化学生成物の配合をコントロールする。また、体積情報は解析され、許可（authorized）ユーザ−オペレーターおよび消費者−に提供され、こうして許可ユーザはシステム動作の種々の面、例えば、限定されずに、化学的コンセントレートの配送プルーフをモニターすることができる。
【０００５】
一態様によれば、流れベース化学的計量分配システムは、配合装置、配合装置操に操作可能に結合された充填ステーション、および化学成分コンセントレート、すなわち、特定の化学生成物の形成に使用される化学的コンセントレートの計量分配位置への流れをモニターする流量計を含む。計量分配位置は、使用点または貯蔵容器、例えば、充填ステーションに位置するジャグまたはドラムであることができる。この態様において、計量分配ホースは流量計と計量分配位置との間に結合されていて、化学成分コンセントレートを計量分配位置に直接排出する。流量計は、特定の化学生成物を形成するために計量分配ホースを通して計量分配される、各化学成分コンセントレートに関連する体積情報を検知する。
【０００６】
更にこの態様によれば、流れベース化学的計量分配システムは、流量計が検知した体積情報を解析するコントローラを含む。このような解析は、化学生成物ならびに化学生成物の各化学成分コンセントレートに関する化学的データおよびアカウントデータの両方を発生する。アカウントデータを許可ユーザに提供して、計量分配動作の付属的面、例えば、限定されずに、コンセントレートの供給／要求、使用特性、所定期間に関するコンセントレートの使用および化学生成物の供給／要求をモニターすることができる。化学的データは、コントローラにより使用されるか、あるいは選択的に許可ユーザによりモニターされて、化学生成物が形成されている計量分配位置に、成分コンセントレートが計量分配ホースを通して計量分配されるとき、化学生成物の配合のコントロールにおいて使用される。
【０００７】
更に他の態様によれば、流れベース化学的計量分配システムは、ヒト−機械インターフェース（ＨＭＩ）を更に含むことができる。ヒト−機械インターフェース（ＨＭＩ）は、このシステムとのユーザの相互作用を促進するグラフィックユーザインターフェース（ＧＵＩ）を有する。この態様において、化学的およびアカウントデータは、ウェブ「フロントエンド」機能を使用して規定され、そしてファイルシステムを介してユニバーサル通信装置を通してＨＭＩに通信される。ユニバーサル通信装置はＨＭＩに結合されており、これによりＨＭＩ／ＧＵＩとコーポレートサーバとの間の２方向データ通信を提供する。それ自体、本発明の一態様は、流れベースコントロールシステムを使用して、化学成分コンセントレートを計量分配して化学生成物を形成するクライアント−サーバ型コンピュータ・アーキテクチャであることができる。
【０００８】
コンピュータ・アーキテクチャは、化学生成物および化学成分コンセントレートに関連するデータを受取る通信手段を含む。これは、例えば、化学的データまたはアカウントデータであることができる。化学成分コンセントレートが計量分配位置に計量分配されるとき、フィードバックコントロールは計量分配コントロールシステムにより処理され、このときコントロールシステムは流量計を介して化学生成物に関連する測定した体積情報を受取る。化学的データに対して遠隔アクセスを提供することによって、ユーザは通信手段により遠隔位置から配合動作を監督し、これにより適切な化学的コンセントレートを有する化学生成物が形成されているかどうかをモニターし、そして化学成分コンセントレートが適切な体積流速で注入されているかどうかをモニターすることができる。アカウントデータに対するアクセスを提供することによって、通信手段は化学的計量分配動作のビジネスおよびアカウントの面、例えば、限定されずに、在庫補充および請求書に関係する事項についての管理コントロールを可能とする。
【０００９】
本発明の態様は、コンピュータプロセス、計算システムまたは製品として、例えば、コンピュータプログラム・ストレージ製品またはコンピュータ読取り可能な媒体として実行することができる。コンピュータプログラム・ストレージ製品は、コンピュータシステムにより読取り可能であり、そして１または２以上の化学成分コンセントレートを使用して化学生成物を配合する命令のコンピュータプログラムをコード化するコンピュータ・ストレージ媒体であることができる。また、コンピュータプログラム・ストレージ製品は、計算システムにより読取り可能であり、そしてコンピュータプロセスを実行する命令のコンピュータプログラムをコード化するキャリア上の伝搬された信号であることができる。
【００１０】
本発明の大きい実用性は、流れベースコントロールシステムによりモニターされ、コントロールされる化学生成物の配合である。それ自体、化学成分コンセントレートの既定体積の配送の正確なプルーフは、従来の販売当たりの基準を使用して配合された化学生成物の販売を可能とする。更に、流れに関係する情報が成分コンセントレートの計量分配の間にシステムに提供し戻され、これは典型的には化学生成物の配合と同時に起こるので、化学生成物はいっそう正確に配合することができる。本発明を特徴づける、これらおよび種々の他の特徴は、下記の詳細な説明および関連する図面のレビューを読むことから、明らかとなるであろう。
【発明を実施するための最良の形態】
【００１１】
図面を参照して、本発明およびその種々の態様を詳細に以下に述べる。図面を参照するとき、全体を通じて示される同様な構造および要素は、同様な参照数字で示される。
【００１２】
図１を参照すると、本発明の一態様の概念的図解が示されている。図１は、本発明の一態様に従い、化学的コンセントレートを計量分配位置に計量分配して、計量分配位置において化学生成物を配合する化学的計量分配システム１００を示す。計量分配位置を以後において貯蔵位置として記載するが、計量分配位置は化学生成物を保持するように操作可能な任意の容器またはリザーバであることができる。その上、計量分配位置は使用点であることができ、これは化学生成物を使用して必要なタスク、例えば、限定されずに、クリーニング、充填、リンスまたは他の方法の利用を達成する位置である。
【００１３】
化学的計量分配システム１００は、特定の目的に適した処方に従い、化学成分コンセントレートを貯蔵位置に計量分配することによって、複数の化学成分コンセントレートを使用して化学生成物を配合する、すなわち、調製する。貯蔵位置はドラム、ジャグ、運搬箱（tote）またはバルクタンクとして規定することができる。ジャグの中に計量分配する場合、化学生成物をその後使用点への移動のために貯蔵し、使用点において化学生成物を使用して必要なタスクを実施する。ドラムの中に計量分配する場合、化学生成物は、特定の計画に従い、アロケーター１０４による配分、すなわち、分配のために貯蔵される。
【００１４】
一態様に従い、所定の時間にまたは複数の化学生成物をジャグに分配する特定の順序で、化学生成物をジャグに分配するように、アロケーター１０４をプログラムすることができる。代わりに、所定の（predetermined）時間にまたは複数の化学生成物を使用点に分配する所定の分配順序で、化学生成物を特定の使用点に分配するように、アロケーター１０４をプログラムすることができる。
【００１５】
一態様に従い、化学的計量分配システム１００は、配合装置１０２、コンセントレートポンプ１０８、および充填ステーション１１４を含む。一態様に従い、配合装置１０２はヒト−機械インターフェース（ＨＭＩ）（図示せず）を含む。このＨＭＩにより、ユーザは特定の化学生成物の配合に関する命令を入力することができる。ＨＭＩは、Microsoft Ｗｉｎｄｏｗｓ（登録商標） CETM型オペレーティングシステムで動作する、グラフィックユーザインターフェース（ＧＵＩ）、例えば、タッチスクリーンインターフェース１１６を含む。タッチスクリーンインターフェース１１６以外に、ＨＭＩは、ユーザが化学的計量分配システム１００の動作をモニターおよび／またはコントロールする命令を入力することができる、任意の従来のＧＵＩを含むことができる。
【００１６】
ユーザの命令に基づいて、配合装置１０２は、充填ステーション１１４に位置するジャグ中で水および／または１または２以上の化学成分コンセントレートを組み合わせることによって、必要な化学生成物を配合する。水は水入口１１８を通して配合装置１０２に入れることができる。用語「化学生成物」は、化学生成物の配合において配合装置１０２で使用される水および全ての他の化学的コンセントレートの両方を意味する。前述したように、ジャグ中で組み合わせるよりむしろ、化学成分コンセントレートはドラム、運搬箱またはバルクタンク中で組み合わせることもできる。
【００１７】
配合装置１０２に供給する前に、化学的コンセントレートをコンセントレート容器１０６中で貯蔵する。化学的コンセントレートは究極的に種々の化学生成物を形成するために使用されるので、用語１または２以上の「成分」化学的コンセントレートは、本明細書において使用するとき、化学生成物を形成するために化学的計量分配システム１００により使用される１または２以上の特定の化学的コンセントレートを意味する。配合装置１０２はコンセントレートポンプ１０８の動作をコントロールする。コンセントレートポンプ１０８は、コンセントレート容器１０６中に貯蔵されている化学的コンセントレートを抽出し、圧力を供給して、コンセントレート導管１３０を通して化学的コンセントレートを配合装置１０２の内部に位置するマニホールド（図１中に示されていない；図２において２１２）に押し込みまたは入れる。より詳しくは、ユーザの情報に基づいて、本発明の一態様に従い、配合装置１０２は、前もってプログラムした順序で、１または２以上のコンセントレートポンプ１０８を一度に１つ選択して作動させる。
【００１８】
各コンセントレートポンプ１０８は、特定のコンセントレート容器１０６中に貯蔵される特定の化学的コンセントレートに関連する。各コンセントレートポンプ１０８は、容器−ポンプ接続１２８を介して関連するコンセントレート容器１０６に取り付けられる。図１にパイプ１２８として示す容器−ポンプ接続は、任意の形態のパイプ、導管またはホースであることができる。
【００１９】
貯蔵された化学的コンセントレートをマニホールドに供給するように作動化すると、コンセントレートポンプ１０８はパイプ１２８を通して化学的コンセントレートをコンセントレート容器１０６からポンプ１０８に移送する。ポンプ１０８は、ポンプ−コンセントレート導管１３０を介して各化学的コンセントレートからマニホールドに送り込む。ポンプ−コンセントレート導管１３０は、任意の形態のパイプ、導管またはホースであることができる。一態様に従い、マニホールドは８つのポンプ−コンセントレート導管１３０に接続し、こうして、８つの異なる化学的コンセントレートを引き続いてマニホールドに供給することができる。選択的に、マニホールドは任意の数のポンプ−コンセントレート導管１３０と接続することができ、こうして、任意の数のコンセントレートを受取ることができる。明瞭のため、ポンプ−コンセントレート導管１３０は以後においてコンセントレート導管と呼ぶ。
【００２０】
化学的コンセントレートを配合装置１０２からマニホールドを通して計量分配位置に排出する。化学的コンセントレートを配合装置１０２から計量分配位置に向ける計量分配ホース（図１中に示されていない；図２において２１８）を、マニホールドの出力に操作可能に結合することができる。一態様に従い、流量計（図１中に示されていない；図２において２０２）はマニホールドの出力と計量分配ホースとの間に結合されている。流量計は、特定の化学生成物の形成に使用される各化学的コンセントレートが計量分配ホースを通して流れる体積を測定する。この情報を使用して、化学的計量分配システム１００は、各化学成分コンセントレートの種々の計量分配の面、例えば、限定されずに、マニホールドと計量分配ホースとの間の各化学成分コンセントレートの流速、および化学生成物を構成する各化学成分コンセントレートの百分率をモニターし、コントロールする。更に、期待する化学生成物が適切に配合されていない場合、流量計は化学的計量分配システムの種々の機械的部分で欠陥を検出する手段を提供する。流量計は図２に関していっそう詳細に説明される。
【００２１】
一態様に従い、配合装置１０２の下部を充填ステーション１１４に結合することができる。充填ステーション１１４は、コンセントレートが配合装置１０２から充填ステーション１１４に計量分配されているとき、化学的コンセントレートを受取るジャグを含む大きさである。それ自体、計量分配ホースはジャグの中に突起する。ジャグは任意の大きさであることができるが、種々の態様に従い、１．５ガロンのジャグ、２．５ガロンのジャグまたは５ガロンのジャグである。第２計量分配ホース（図示せず）を配合装置１０２の第２出力に添付する。第２計量分配ホースを使用して、配合装置１０２により配合された特定の化学的コンセントレートをドラムに充填することができる。選択的に、配合装置１０２は、前述したように、ただ１つの計量分配ホースを有することができ、ここで計量分配ホースは充填ステーション１１４に位置するジャグまたはドラムに特定の化学生成物を充填するように位置決定することができる。
【００２２】
図２を参照すると、本発明の一態様に従う化学的計量分配システム１００の動作をコントロールする計量分配コントロールシステム２００が示されている。計量分配コントロールシステム２００は、流量計２０２、コントローラ２０６およびＨＭＩ  ２０３を含む。コントローラ２０６は、例えば、ＰＣＬまたは任意のＣＰＵ型コントローラであることができる。流量計２０２は、それをを通して流れる各化学的コンセントレートの流れ体積を検出し、そして第２体積情報をコントローラ２０６に提供する。
【００２３】
一般に、流量計、例えば、２０２は、任意のパイプ、導管またはホース中の流れを測定する装置である。典型的な流量計は、パイプの小さい区画中に取り付けられ、ＣＰＵコントローラにフィードバックを提供する回転カウンターに連動されたプロペラから成る。回転カウンターは、１または２以上の化学的コンセントレートが流量計２０２を通過するとき、回転するカウンターの回転を計数する。次いで、流量計２０２はプロペラの各回転についてパルスを発生する。これらのパルスは、コントローラ２０６の高速カウンターに入力される。コントローラ２０６はカウンターを利用して、受取ったパルスから流れ（ガロンまたは立方フィート）を決定する。コントローラ２０６は、それがフィードバックコントロールループ２１６から受取るパルス数に基づいて、各コンセントレートの体積を計算する。流量計２０２は本明細書において積極的置換／プロペラメーターとして記載するが、本発明の本質から逸脱しないで、他の型の流量計を使用することができる。流量計の他の型は下記のものを包含するが、これらに限定されない：渦型流量計、磁気型流量計、電磁型流量計、櫂型流量計、コリオリ質量型流量計およびタービン型流量計。
【００２４】
各化学生成物の種々の成分コンセントレートの各々は異なる比重を有するので、流量計２０２を各成分コンセントレートについて目盛定めする。流量計２０２の目盛定めにおいて、既定体積の各成分コンセントレートを流量計２０２により計量分配する。既定体積の流れは、コントローラ２０６に伝送されるパルスを発生する。成分コンセントレートの体積に対応する所定の数のパルスがコントローラ２０６により受取られた後、成分コンセントレートの流れを停止させる。次いで受取られたコンセントレートの体積を期待したコンセントレートの体積と比較し、それらの差は成分コンセントレートについての流れまたは目盛定め、因子（Ｋ因子）を与える。化学生成物の配合に必要な成分コンセントレートの体積が計量分配位置２１０に計量分配された成分コンセントレートの量に等しいように、流れ因子は配合操作の間に期待した流れパルスの数を調節するために使用される。
【００２５】
化学的コンセントレートは流量計２０２を通して流れ、計量分配ホース２１８を介して計量分配位置２１０に計量分配される。計量分配位置２１０において全ての成分コンセントレートがホース２１８を出た後、化合物が形成される。一態様に従い、計量分配位置２１０は、図１を参照して示し、説明したように、充填ステーション１１４に位置するジャグであるか、あるいはドラム（図示せず）であることができる。選択的に、化学的計量分配システム１００は化学的コンセントレートを使用点に直接計量分配することができる。このような環境下に、コンセントレートがホース２１８を出、使用点に直接提供されるように、化学的コンセントレートはホース２１８を介して供給される。
【００２６】
使用点は、化学生成物を形成させる物理的位置として規定される。例えば、使用点は、化学的コンセントレートを引き続いて計量分配して装置または装置の構成成分を清浄する、ユニバーサル装置であることができる。こうして、化学生成物は装置上で「形成される」と考えられる。
【００２７】
１つの態様によれば、使用点を食品製造および／または包装プロセスに関連させることができ、そして食品は製造および／または包装プロセスを通過するので、配合された化合物は食品を消毒するために使用できる。更に、使用点は、任意の現実の品物または製品の製作および／または包装に関係する製造および／または包装プロセスに関連させることができる。なお他の態様によれば、使用点は化学的入力および／または流体入力を必要とする工業的装置、例えば、水洗浄装置、洗濯機、自動販売機、小樽レギュレーターまたは化学的／流体の流れおよび挿入を調整する他の工業的装置に関連させることができる。
【００２８】
各ポンプ１０８は化学的コンセントレート容器１０６に操作可能に結合されており、そしてコンセントレート容器１０６から化学的コンセントレートを抽出し、配合装置１０２内部に位置するマニホールド２１２にコンセントレートを提供する役割をする。一態様に従い、マニホールド２１２に結合したコンセントレート導管１３０（図１）を介して、各それぞれの化学的コンセントレートを配合装置１０２に供給する。コンセントレートはマニホールド２１２を出、流量計２０２を通して流れ、計量分配ホース２１８を介して計量分配位置２１０に行く。流量計２０２は、マニホールド２１２と計量分配ホース２１８との間に流れる各化学的コンセントレートの体積を測定する。この測定した体積情報は、フィードバックコントロールループ２１６を通してコントローラ２０６に提供される。コントローラ２０６はこの情報を使用して、マニホールド２１２の中に流れる化学的コンセントレートの体積を調整し、これによりシステム１００により計量分配された各化学生成物の配合をコントロールする。
【００２９】
前述したように、配合された化学生成物は１組の成分コンセントレートから構成されている。配合された化学生成物の比重および化合物の配合に必要な成分コンセントレートの質量（重量）％を使用して、適当な体積の各成分コンセントレートを計量分配位置２１０に計量分配する。特定の化学生成物の配合に使用する各成分について、流量計２０２を目盛定めした後、流量計２０２を通過する各成分コンセントレートの体積をコントローラ２０６によりモニターして、配合された化学生成物について必要な所定の体積に基づいて成分コンセントレートの流れをコントロールする、すなわち、増加させ、減少させ、または停止させる。
【００３０】
一態様に従い、測定された体積情報を製造ログ中に記憶させ、これにより化学生成物についてばかりでなく、かつまた生成物の形成に使用される各それぞれの化学成分コンセントレートについて配送プルーフを提供する。また、コントローラ２０６は測定された情報を使用して、計量分配位置２１０における化学生成物の配合に関する他の面をコントロールする。例えば、限定されずに、計量分配コントロールシステム２００は測定された情報を使用して、計量分配ホース２１８を通る化学生成物の速度をモニターし、コントロールすることができる。更に、計量分配コントロールシステム２００は、また、測定された情報を使用して、供給容器上の在庫レベルをモニターすることができる。在庫レベルが低いとき、在庫補充についての通知を発生させ、これは特定の化学的コンセントレートの補充を必要とするということを許可ユーザまたは在庫管理システムに命令する。
【００３１】
化学的計量分配システム１００に対するデータファイルの出し入れを可能とするために、計量分配コントロールシステム２００をユニバーサル通信装置２０４に結合する。許可ユーザが化学的適用、ユーザのアクセス権利およびルールと、化学的計量分配システム１００をコントロールする他のシステムとに関係する機能を遠隔的に規定できるように、許可ユーザがコーポレートサーバ２０１を通してＨＭＩ  ２０３と通信できるように、ユニバーサル通信装置２０４は設計される。これらの機能はインターネットまたは他のネットワーク接続２０５を介して規定され、そしてファイルシステムを介してユニバーサル通信装置２０４を通して化学的計量分配システム１００に伝送される。ユニバーサル通信装置２０４はネットワーク接続２０５を介してコーポレートサーバ２０１とデータをやり取りする。ネットワーク接続２０５は、モデム、ローカルエリアネットワーク、無線ネットワークまたは遠隔コンピュータに接続する任意の他の手段を通して確立することができる。
【００３２】
一態様に従い、コントローラ２０６は計量分配コントロールシステム２００に強化されたＩ／Ｏ（入力／出力）を提供するように操作可能なＰＬＣ（プログラム可能論理コントローラ）であることができる。ＨＭＩ  ２０３は、化学的計量分配システム１００に対するコントロールをユーザに提供し、本発明の一態様に従うＷｉｎｄｏｗｓ（登録商標）  ＣＥTMオペレーティングシステムに基づくタッチスクリーンインターフェースを含む。ＨＭＩ／ＧＵＩ  ２０３は、データタグの共有および操作を介してＰＬＣ  ２０６と双方向通信が可能である。
【００３３】
コーポレートサーバ２０１は、ＨＭＩ／ＧＵＩ  ２０３およびコントローラ２０６のサイトに関して遠隔位置に存在し、本発明の一態様に従うウェブ型サーバアプリケーションプログラムを含む。最初に、ウェブ型サーバアプリケーションプログラムは、ｈｉｓ／ｈｅｒシステムの構成、すなわち、配合の設定；ユーザのＩＤおよびパスワードの創造；ユーザのシステムについて特別のアプリケーションの創造、およびその他を可能とする。構成がユーザのために終了したとき、ウェブ型サーバアプリケーションプログラムは種々のファイル中に入れた情報を保存し、そしてコーポレートサーバ２０１にこのような情報を記憶させる。いったんコントローラ２０６がサーバ２０１と交信されると、ファイルをコントローラ２０６にダウンロードする。ファイルは、ユーザのシステム１００で配合できる特定の化学生成物に関係する情報をコントローラ２０６に存在させる。
【００３４】
化学成分コンセントレートが計量分配位置２１０に計量分配されるとき、コントローラ２０６は高速カウンターを使用して、流量計２０２を通る成分コンセントレートの流れをモニターする。コントローラ２０６は流量計２０２を通る成分コンセントレートの流れに関連する情報を使用して、化学生成物の配合をコントロールし、配合されている化学生成物に関連する情報をＨＭＩ  ２０３に提供する。ユーザはＨＭＩ  ２０３上のこの情報にアクセスすることができる。
【００３５】
ＨＭＩ  ２０３はログファイルに対してその上で実行された全ての機能を格納する。ログファイルはユニバーサル通信装置２０４を介してコーポレートサーバ２０１に毎日送られる。ログファイルがコーポレートサーバ２０１に送られると同時に、ユニバーサル通信装置２０４はサーバ２０１に格納されたシステム１００について構成されたファイルをダウンロードし、これにより更新されたファイルを検索して、情報、ユーザまたは計量分配適用情報をそれに応じて更新する。
【００３６】
図３Ａ、図３Ｂおよび図３Ｃは、本発明の一態様に従う配合装置１０２の前面図および側面図を示す。詳しくは、配合装置の前面図は図３Ａに示されており、配合装置１０２はフロントカバー３０２を有し、側面図は図３Ｂに示されており、配合装置１０２は第１サイドカバー３０４を有し、そして反対の側面図は図３Ｃに示されており、配合装置１０２は第２サイドカバー３０６を有する。
【００３７】
図３Ａを参照すると、配合装置１０２はＨＭＩ  ２０３（図２）を含む。ＨＭＩ  ２０３はＧＵＩが提示されているタッチスクリーンインターフェース１１６、カードリーダー３０８、システムアクティブインジケーター３１２、緊急停止ボタン３１０、ロック３１４、空気レギュレーター取り付けブラケット３１６および充填ステーション取り付けタブ３１８を有する。ＨＭＩ  ２０３は各許可ユーザにシステム１００を操作し、コントロールする能力を提供する。ＨＭＩ  ２０３は配合装置１０２上にタッチスクリーンインターフェース１１６を有するので、許可ユーザがシステム１００とともにオンサイトに位置するとき、許可ユーザはシステム１００を操作し、コントロールすることができる。許可ユーザは、ＨＭＩ  ２０３にアクセスするためのユーザＩＤおよびパスワードがサーバ上に構成されている人間である。ｈｅ／ｓｈｅはｈｉｓ／ｈｅｒユーザＩＤおよびパスワードを入力することによってプログラムにアクセスすることができる。
【００３８】
カードリーダー３０８は、許可ユーザにシステム１００を操作し、コントロールすることができるように、ＨＭＩ  ２０３にアクセスする他の方法を提供する。それ自体、化学的計量分配システム１００へのアクセスを望む潜在的ユーザは、カードリーダー３０８にカードを入れて、このようなアクセスを獲得することができる。ＨＭＩ  ２０３は、アクセスカード上に記憶された情報に基づいて、個体識別および確認を実行する。潜在的ユーザが化学的計量分配システム１００に対する許可ユーザとして個体識別され、確認された場合、システム１００に対するアクセスが許可され、これによりユーザはタッチスクリーンインターフェース１１６上に提示されたＧＵＩを通してシステム１００を操作し、コントロールすることができる。
【００３９】
システムアクティブインジケーター３１２は、化学的計量分配システム１００の状態を表示する。例えば、配合装置１０２が化学生成物を配合している場合、システムアクティブインジケーターは所定の信号でこれを示す。信号は本発明の一態様に従うある色のフラッシュ光または静止光であることができる。更に、信号は配合される化学生成物のいくつかの特性に関連するデジタル表示であることができる。
【００４０】
緊急停止ボタン３１０は、化学的計量分配システム１００の「キルスイッチ」を提供する。緊急の場合、緊急停止ボタン３１０を押してシステム１００の動作を停止させる。空気レギュレーター取り付けブラケット３１６は、化学的計量分配システム１００の配合プロセスにおいて使用する空気レギュレーターを支持する。同様に、充填ステーション取り付けタブ３１８は、配合装置１０２の基部への充填ステーション１１４の取り付けを可能とする接続を提供する。
【００４１】
図３Ｂを参照すると、配合装置１０２は本発明の一態様に従う複数のコンセントレート入口３２０および複数のドラムプローブコネクター３２２を更に含む。各コンセントレート入口３２０はコンセントレート導管１３０と接続し、これによりコンセントレート導管１３０（図１）により運搬される化学的コンセントレートを受取る。ドラムプローブコネクター３２２はドラムプローブ導管（図示せず）を配合装置１０２に接続し、こうしてコントロールシステム２００に接続する。ドラムプローブ導管は、各容器に位置するドラムプローブに操作可能に結合されている。ドラムプローブは、各容器中に貯蔵されているコンセントレートのレベルを測定する。ドラムプローブは、各コンセントレート容器１０６の中に含有されるコンセントレートのレベルを示すドラムレベル信号を発生する。
【００４２】
ドラムプローブコネクター３２２は、コンセントレートポンプ１０８とコントロールシステム２００のコントローラ２０６（図２）との間の通信路を確立し、これによりコントローラ２０６はどのポンプが所定の時点において作動化されるかをモニターする。また、コントローラ２０６はドラムプローブコネクター３２２を介してコンセントレートポンプ１０８を作動化および不作動化することができる。一態様に従い、ドラムプローブによりモニターされたコンセントレート容器１０６中のコンセントレートのレベルが低い場合、各ドラムプローブはドラムレベル信号を発生する。このような「低い」ドラムレベルの信号は、コンセントレートのレベルが低いこと、および対応する容器１０６に結合したコンセントレートポンプ１０８をオフにすべきであることをコントローラ２０６に警告する。更に、コントローラ２０６は、ドラムレベルの信号が容器１０６中のコンセントレートのレベルが低いことを示す場合、容器１０６からのコンセントレートのコンセントレートの流れ減少させ、および／またはコンセントレート容器１０６が補充を必要としていることを警告することができる。本発明の他の態様によれば、ドラムプローブは、容器１０６中のコンセントレートのレベルが低いかどうかにかかわらず、コンセントレートのレベルを示すドラムレベル信号を終始一貫して伝送することができる。このような「不断の」レベル信号を使用して、容器１０６の中に含有されるコンセントレートの使用量を連続的にモニターすることができる。
【００４３】
図３Ｃを参照すると、本発明の一態様に従う電力レセプタクル３２８、データ通信端末３２６、電力スイッチ３３０およびアラーム３３２を有する配合装置１０２が示されている。電力レセプタクル３２８を通して配合装置１０２に電力を供給する。すなわち、配合装置１０２は電力スイッチ３３０をトグル式に切り換えることによってターンオンまたはターンオフすることができる。データ通信端末３２６により、化学的計量分配システム１００をクライアントサーバネットワークに接続することができる。データ通信端末３２６は、電話機ジャック、イーサネット（登録商標）ポート、無線伝送手段、専用の伝送ラインまたは遠隔サーバが化学的計量分配システム１００に接続できるようにする他の従来のネットワーキングポートまたは装置であることができる。アラーム３３２は、化学的計量分配システム１００のハードウェアまたはソフトウェアの構成成分が誤動作していることをユーザに警告する。
【００４４】
また、特定のコンセントレートのレベルが本発明の別の態様に従う所定のレベルより下であることをユーザに警告するように、アラーム３３２を設定することができる。コントローラ２０６および化学的計量分配システム１００に対して内部である他のコンピュータ・アーキテクチャは、システム１００の構成成分を絶えずモニターして、システム１００が適切に作動していることを保証する。例えば、化学的計量分配システム１００が化学生成物を配合しており、そしてコンセントレートポンプ１０８が破損している場合、コントローラ２０６はコンセントレートポンプ１０８からのコンセントレートの零の流れまたは不適切な流れを検出し、その結果、アラーム３３２を開始する。一態様に従い、アラーム３３２は許可ユーザまたは特定のシステム１００に関連するアカウントの販売仲間に対する即時ページである。前述したように、アラーム３３２は他の環境、例えば、限定されずに、通信破壊、予防的メンテナンスまたは低いレベルの生成物下に作動化することができる。
【００４５】
１つの態様によれば、計量分配コントロールシステム２００は、計算システムにより読取り可能であり、かつ１または２以上の化学的コンセントレートを使用して化学生成物を配合するためのコンピュータプログラムをコード化する、少なくともいくつかの形態の・ストレージ装置または通信媒体を含む計算システムとして実行することができる。図４および下記の論考は、本発明の一態様を実行できる適当な計算環境の簡単な、一般的説明を提供することを意図する。必要ではないが、本発明の態様は、特定のタスクを実行しまたは特定の抽象的データのタイプをインプリメントする、コンピュータで実行可能な命令の一般的関係、例えば、プログラムモジュール、オブジェクト、構成成分、データ構造、およびその他において説明する。その上、当業者は理解するように、本発明は他のコンピュータシステムの設定を使用して実施することができ、このような設定は手で保持した装置、マルチプロセッサシステム、マイクロプロセッサ型またはプログラム可能消費者エレクトロニクス、ネットワークＰＣ、ミニコンピュータ、メインフレーム、およびその他を包含する。本発明は、また、タスクを通信ネットワークを通してリンクした遠隔処理装置により実行する、同時マルチタスキング計算環境において、プログラムモジュールはローカルおよび遠隔メモリ・ストレージ装置の両方の中に存在することができる。
【００４６】
図４は、本発明のプログラムプロダクトの態様を実行できる汎用計算システム４００を描写する。本発明が潜在的に有効である１つのオペレーィング環境は、汎用計算システム４００を包含する。このようなシステムにおいて、データおよびプログラムのファイルを計算システム４００に入力することができ、計算システム４００はファイルを読取り、その中のプログラムを実行する。汎用計算システム４００の要素のいくつかを図４に示し、ここで入力／出力（Ｉ／Ｏ）区画４０２、中央処理装置（ＣＰＵ）４０３、およびストレージ区画４０４を有するプロセッサ４０１が示されている。本発明はストレージ装置４０４中にロードされたおよび／または設定されたＣＤ−ＲＯＭ媒体４０８またはストレージユニット４０９上に記憶されたソフトウェア装置において実行され、これにより本発明を実行するための特殊目的機械に計算システム４００を変換する。
【００４７】
Ｉ／Ｏ区画４０２をキーボード４０５、表示装置４０６、ディスクストレージ装置４０９、およびディスクドライブ装置４０７に接続する。一態様に従い、ディスクドライブ装置４０７はＣＤ−ＲＯＭ媒体４０８を読取ることができ、典型的なプログラム４１０およびデータを含有する、ＣＤ−ＲＯＭドライバーユニットである。本発明の一態様に従うシステムおよび方法を実現するメカニズムを含有するコンピュータプログラムプロダクトは、このようなシステムのストレージ区画４０４、ディスクストレージユニット４０９、またはＣＤ−ＲＯＭ媒体４０８中に存在させることができる。他の態様によれば、ディスクドライブユニット４０７をフロッピー（登録商標）ドライブユニット、テープドライブユニット、または他のストレージ媒体ドライブユニットで置換または補充することができる。ネットワークアダプタ４１１は、ネットワークリンクを介して計算システム４００を遠隔コンピュータのネットワークに接続することができる。このようなシステムの例は、ＳＰＡＲＣシステム（Ｓｕｎ  Ｍｉｃｒｏｓｙｓｔｅｍｓ，  Ｉｎｃ．により提供される）、パーソナルコンピュータ（ＩＢＭ  ＣｏｒｐｏｒａｔｉｏｎおよびＩＢＭ適合性パーソナルコンピュータの他の製造会社により提供される）、およびＵＮＩＸ（登録商標）型または他のオペレーィングシステムを実行する他のシステムを包含する。遠隔コンピュータは、デスクトップコンピュータ、サーバ、ルータ、ネットワークＰＣ（パーソナルコンピュータ）、ピアー装置または他の普通のネットワークノードであることができ、そして典型的には計算システム４００に関して前述した多数のまたは全ての要素を包含する。論理接続は、ローカルエリアネットワーク（ＬＡＮ）または広域ネットワーク（ＷＡＮ）を包含する。このようなネットワーク環境は、オフィス、企業のワイドコンピュータネットワーク、イントラネット、およびインターネットにおいてありふれている。
【００４８】
本発明のプログラムプロダクトに従い、ソフトウェアの命令、例えば、クライアントとサーバとの間に対して向けられた命令、プロダクト使用量のデータの検出、データの解析、およびレポートの発生はＣＰＵ  ４０３により実行することができ、そしてデータ、例えば、プロダクト使用量のデータ、法人組織のデータ、およびプロダクト使用量のデータまたは他の源からの入力から発生した補充データをストレージ区画４０４に記憶するか、あるいはディスクストレージユニット４０９、ディスクドライブユニット４０７、またはシステム４００に結合された他のストレージ媒体ユニットに記憶することができる。
【００４９】
当業者によく知られているように、計算システム４００はオペレーィングシステムおよび通常１または２以上のアプリケーションプログラムを更に含む。オペレーィングシステムは、システム４００の動作およびリソースの配分をコントロールする１組のプログラムを含む。また、この組のプログラムは、ある種のユーティリティを含み、グラフィックユーザインターフェースをユーザに提供する。アプリケーションプログラムは、オペレーィングシステムのソフトウェアのトップ上で実行され、そしてオペレーィングシステムを通して有効とされるコンピュータのリソースを使用して、ユーザが望むアプリケーション特有のタスクを実行するソフトウェアである。一態様に従い、オペレーィングシステムはグラフィックユーザインターフェースを使用することができ、ここでアプリケーションプログラムの表示出力は表示装置４０６のスクリーン上の長方形区域に提示される。オペレーティングシステムはマルチタスクで動作可能であり、すなわち、複数のスレッドで計算タスクを実行し、こうして下記のオペレーティングシステムの任意のものであることができる：マイクロソフト・コーポレーション（Ｍｉｃｒｏｓｏｆｔ  Ｃｏｒｐｏｒａｔｉｏｎ）の“ＷＩＮＤＯＷＳ（登録商標）  ９５”、“ＷＩＮＤＯＷＳ（登録商標）  ＣＥ”、“ＷＩＮＤＯＷＳ（登録商標）  ９８”、“ＷＩＮＤＯＷＳ（登録商標）  ４０００”または“ＷＩＮＤＯＷＳ（登録商標）  ＮＴ”オペレーティングシステム、ＩＢＭのＯＳ／２  ＷＡＲＰ、アップル（Ａｐｐｌｅ）のＭＡＣＩＮＴＯＳＨ  ＳＹＳＴＥＭ  ８オペレーティングシステム、Ｘ−ウィンドウズ（登録商標）、およびその他。
【００５０】
コンピュータプログラミングの当業者の実施に従い、特記しない限り、計算システム４００、別のストレージコントローラまたは別のテープドライブ（図示せず）により実行されるオペレーションの行為および記号表示を参照して、本発明を後述する。時には、このような行為およびオペレーションをコンピュータで実行されると言及される。理解されるように、行為および記号表示されたオペレーションは、電気信号表示の変換または減少を引き起こすデータビットを表示する電気信号のＣＰＵ  ４０３による操作、およびストレージ装置４０４、設定されたＣＤ−ＲＯＭ  ４０８またはストレージユニット４０９中のストレージ位置においてデータビットを維持し、これにより計算システム４００のオペレーションの再設定または他の方法による変更、ならびに信号の他の処理を包含する。データビットが維持されるストレージ位置は、データビットに対応する特定の電気的、磁気的、または光学的性質を有する物理的位置である。
【００５１】
本発明の種々の態様の論理演算は、（１）計算システム４００上で実行するコンピュータ実行ステップのシーケンスとしておよび／または（２）計算システム４００内の相互接続機械モジュールとして実行される。この実行は、本発明を実行する計算システム４００の性能の必要条件に依存する選択事項である。したがって、本明細書に記載する本発明の態様を構成する論理演算は選択的にオペレーション、行為、ステップまたはモジュールを意味する。当業者は理解するように、これらのオペレーション、構造装置、行為およびモジュールは、添付された特許請求の範囲内に記載されている本発明の精神および範囲から逸脱しないで、ソフトウェア、ファームウェア、特殊用ディジタルロジック、およびそれらの任意の組み合わせにおいて実行することができる。
【００５２】
図５を参照すると、本発明の一態様に従う１または２以上の化学成分コンセントレートを使用して化学生成物を配合する操作を一般的に図解する化学生成物配合プロセス５００が示されている。配合プロセス５００は、開始操作５０２で開始し、停止操作５１８で完結することによって実行される。簡潔のために、化学生成物配合プロセス５００を単一の化学生成物の配合について後述する。しかしながら、コントロールシステム２００を使用して、複数の化学生成物を同時にまたは順次に配合することができる。
【００５３】
操作の流れは開始操作５０２において開始され、命令受取操作５０４に連続する。命令受取操作５０４は、ＨＭＩ  ２０３と相互作用する許可ユーザから、特定の化学生成物を配合するための命令を受取る。次いで、操作の流れは配合開始操作５０６に行き、配合開始操作５０６は受取られた命令において同定された、化学生成物の配合を開始する。一態様に従い、配合開始操作５０６は、化学生成物（以後において、「化学成分コンセントレート」）の形成に使用される化学的コンセントレートに関連するコンセントレートポンプ１０８を順次に作動化する。したがって、成分コンセントレートは配合装置１０２にステップバイステップまたは順次の方法（すなわち、一度に１つの成分コンセントレート）で提供される。こうしてコンセントレートポンプ１０８は引き続いて作動化され、化学成分コンセントレートをコンセントレート導管１３０に供給し、次いでこれは各成分コンセントレートを配合装置１０２に運搬する。別の態様に従い、各化学成分コンセントレートがコンセントレート導管を通して配合装置１０２に同時に供給されるように、配合開始操作５０６は適当な容器１０６を同時に作動化する。
【００５４】
配合開始操作５０６後、操作の流れはモニター操作５０８に行く。モニター操作５０８は、配合装置１０２の内部に位置するマニホールド２１２を通過する化学成分コンセントレートの流れをモニターし、検知しまたは測定する。化学成分コンセントレートはマニホールド２１２から計量分配ホース２１８に流れ、計量分配ホース２１８は各成分コンセントレートを計量分配位置２１０に計量分配する。種々の形態の情報、例えば、限定されずに、コンセントレートを使用して配合されている化学生成物の化学的組成、化学生成物の形成において使用される容量％、質量または重量、および所定の時点においてマニホールド２１２と計量分配ホース２１８との間を通る各化学的コンセントレートの流れの体積、例えば、体積／単位時間をモニター操作５０８によりモニターし、検知しまたは測定する。この情報がモニターされ、検知されまたは測定された後、操作の流れは情報ログ操作５１０に行く。
【００５５】
情報ログ操作５１０は、特別のコンセントレートカテゴリーに基づいて検知した情報サンプルを分割し、そして各サンプルをコンセントレートカテゴリーレコードに記憶させる。コンセントレートカテゴリーレコードを使用して、モニター操作５０８で検知した情報をシステムユーザに提供する。更に、情報ログ操作５１０は検知した情報サンプルを各コンセントレートカテゴリーレコードの情報カテゴリーレコードに分割する。情報カテゴリーレコードは、各サンプルが関係する特別の情報カテゴリーを同定する。例えば、特定の化学成分コンセントレートの体積または質量（重量）％に関連する１つのサンプルを、同一化学成分コンセントレートの比重に関連する他のサンプルから分離しまたはそれを同定する。それ自体、各サンプルを独特な情報カテゴリーレコードで同定する。
【００５６】
一態様に従い、情報ログ操作５１０は、生成物の形成の間に異なる時点においてマニホールド２１２と計量分配ホース２１８との間を流れる各成分コンセントレートの実際の容量％、質量または重量を計算する。詳しくは、サンプルを受取り、コンセントレートカテゴリーレコードに分割し、更に情報カテゴリーレコードに分割するとき、計量分配ホース２１８を通る計量分配された各コンセントレートの実際の体積に関係する情報を前のサンプルからの情報と組み合わせる。情報ログ操作５１０から、操作の流れは情報解析操作５１２に行く。
【００５７】
命令受取操作５０４は配合装置１０２に供給された各化学成分コンセントレートに関連する測定された情報を解析し、こうして配合された化学生成物に関連する情報を解析する。前述したように、測定された情報をコンセントレートカテゴリーレコード中にログまたは記憶する。配合された各化学生成物について、情報解析操作５１２が実行する解析から生ずる２つの型のデータが存在する：化学的データおよびアカウントデータ。一般に、化学的データは化学生成物の実際の配合に関連する任意のデータとして定義される。典型的な態様によれば、化学的データはコンセントレートの組成（比重）および計量分配ホース２１８を通る各化学成分コンセントレートの流れ体積に関係する。例えば、情報解析操作５１２は、必要な化学生成物を形成するために、計量分配位置２１０、すなわち、ジャグまたはドラムに現在計量分配されている各成分コンセントレートの実際の質量（重量）％を決定する。各質量（重量）％は、ジャグまたはドラムの中に現在位置する単一の成分コンセントレートの、ジャグまたはドラム中の他の成分コンセントレートに関する容量％を表す。質量（重量）％は、計量分配ホース２１８を通過した成分コンセントレートの実際の体積に、成分コンセントレートの比重を掛けることによって計算される。
【００５８】
本発明の１つの態様によれば、アカウントデータは化学的データ以外の任意のデータとして定義される。詳しくは、アカウントデータは、化学生成物および成分コンセントレートのビジネスおよび供給特性に関連する情報に関する。例えば、化学生成物の販売価格を取引先に請求するために、取引先について特定の化学生成物の各成分コンセントレートの量を解析操作５１２により決定できる。更に、生成物の特定した量についての取引先の注文を正確に満たすために、情報解析操作５１２は取引先のために配合された特定の化学生成物の量を追跡することもできる。こうして、このような決定を同定する情報解析操作５１２が発生したデータは、アカウントデータとして定義される。次いで操作の流れは情報解析操作５１２から照会操作５１４に行く。
【００５９】
照会操作５１４は、計量分配位置に計量分配された各化学成分コンセントレートの実際の体積を、化学生成物を形成するために各成分コンセントレートにより要求される所定の体積と比較することによって、化学生成物の配合が完結されたかどうかを決定する。すなわち、照会操作５１４は、各成分コンセントレートの質量（重量）％を、各成分コンセントレートに関連する期待した質量（重量）％と比較して、適切な体積の各成分コンセントレートを有する化学生成物が形成されているかどうかを決定する。
【００６０】
照会操作５１４が生成物の配合が完結していないことを決定する場合、操作の流れは配合コントロール操作５１６に行く。配合コントロール操作５１６は、情報解析操作５１２が実行した１または２以上の解析に基づいて化学生成物の配合をコントロールする。例えば、配合コントロール操作５１６が化学生成物の化学的質量が特定の成分コンセントレートに関して低いことを決定する場合、配合コントロール操作５１６は、より大きい体積の成分コンセントレートが配合装置１０２に供給されるように、その成分コンセントレートに関連するコンセントレートポンプ１０８をコントロールする。照会操作５１４が生成物の形成が完結したことを決定した場合、操作の流れは停止操作５１８において完結する。
【００６１】
図６は、コントロールシステム２００が、本発明の一態様に従い、化学生成物の形成に使用された各化学成分コンセントレートに関連する体積情報を受取り、その後体積情報を処理して化学生成物をモニターし、コントロールするとき、コントロールシステム２００が実行する操作を図解する。詳しくは、化学生成物の配合をモニターし、コントロールする操作を一般的に図解するプロセス６００が示されている。プロセス６００は、開始操作６０２で開始し、停止操作６２４において完結する操作の流れを含む。簡潔のために、モニター／コントロールプロセス６００を単一の化学生成物の形成のモニターおよびコントロールとして後述する。しかしながら、プロセス６００は複数の化学生成物の形成を同時にモニターし、コントロールするために使用できる。
【００６２】
操作の流れは開始操作６０２において開始し、受取操作６０４に連続する。受取操作６０４は、配合されている化学生成物に関連する種々の形態の測定された情報を受取る。一態様に従い、測定された情報は、化学生成物において使用される各化学成分コンセントレートに関連する体積情報である。検知された情報が受取られた場合、操作の流れは分割操作６０６に行く。
【００６３】
分割操作６０６は検知された情報をコンセントレートサンプルに分離し、各コンセントレートサンプルは化学生成物の特定の化学成分コンセントレートに関連する。それ自体、各サンプルをコンセントレートカテゴリーに割りあてることができる。一態様に従い、成分コンセントレートは配合装置１０２に同時ではなく、順次の方法で供給されるので、分割操作６０６は、サンプルが化学成分コンセントレートから検知されているとき、どのコンセントレートポンプ１０８が作動化されているかに基づいて、各コンセントレートサンプルを特別のコンセントレートカテゴリーに割りあてる。成分コンセントレートが同時の方法で配合装置１０２に供給される別の態様によれば、各成分コンセントレートはモニター操作６０６によりモニターされた後、配合装置１０２において組み合わされる。情報が特定の成分コンセントレートにより同定されるサンプルに分割された後、操作の流れはログ操作６０８に行く。
【００６４】
更に、ログ操作６０８は、コンセントレートカテゴリーに関連する検知された情報サンプルを情報カテゴリーに分割する。情報カテゴリーは、各サンプルが関係する化学成分コンセントレートの特別のモニターした面を同定する。例えば、化学成分コンセントレートの容量／質量（重量）％に関連する１つのサンプルを化学成分コンセントレートのアルカリ性に関連する他のサンプルから分割することができ、各サンプルは特定の情報カテゴリーを使用して同定される。それ自体、１つのサンプルを質量（重量）％カテゴリーで同定することができ、他方をアルカリ性カテゴリーで同定することができる。また、ログ操作６０８は、それぞれコンセントレートカテゴリーおよび情報カテゴリーに基づいて、コンセントレートカテゴリーレコードの中にサンプルを記憶し、更にコンセントレート情報カテゴリーの中に記憶する。レコード中に情報サンプルを記憶することによって、いっそう詳細に後述するように、情報をモニターおよびコントロールのために容易にアップロードすることができる。操作の流れはログ操作６０８から決定操作６１０に行く。
【００６５】
決定操作６１０は、現在配合されている化学生成物がジャグまたはドラムを満たす、異なる時点において化学生成物の形成において使用される各化学成分コンセントレートの実際の容量％、質量または重量を計算する。配合の完結において、化学生成物は「形成された」と考えることができる。サンプルを受取り、コンセントレートカテゴリーレコードに分割し、更に情報カテゴリーレコードに分割するとき、計量分配位置２１０に計量分配された各コンセントレートの実際の体積を前のサンプルから情報と組合わせて、現在生成物を形成している各成分コンセントレートの現在の質量（重量）％を発生させる。各現在の質量（重量）％は、ジャグまたはドラムの中に現在位置する成分コンセントレートの収集物を形成する化学成分コンセントレートの比重に基づいた容量％を表す。それ自体、１つの化学成分コンセントレートの現在の質量（重量）％はジャグまたはドラムの中に位置する全ての他の化学成分コンセントレートに関して測定される。決定操作６１０から、操作の流れはアップロード操作６１２に行く。
【００６６】
アップロード操作６１２はデータをＨＭＩ  ２０３にアップロードし、これにより許可ユーザによる情報へのアクセスを可能とする。前述したように、情報はアカウントデータおよび／または化学的データとして解析し、提示することができる。許可ユーザはローカル的に、または選択的に、ユニバーサル通信装置２０４を介して遠隔的にＨＭＩ  ２０３にアクセスすることができる。データをＨＭＩ  ２０３にアップロードすることによって、許可ユーザは化学生成物の情報をモニターすることができ、情報、例えば、限定されずに、化学生成物へのコンセントレートの配送プルーフを提供される。操作の流れは、アップロード操作６１２から第１照会操作６１４に行く。
【００６７】
第１照会操作６１４は、化学生成物の配合において使用される各化学成分コンセントレートについて反復される反復解析である。こうして、最初のパスで、第１照会操作６１４は、第１化学成分コンセントレートの現在の質量（重量）％が形成された化学生成物中の化学成分コンセントレートの期待した質量（重量）％より低いかどうかを決定する。
【００６８】
現在解析している化学成分コンセントレートの現在の質量（重量）％が期待した質量（重量）％より低い場合、操作の流れは体積増加操作６１８に行く。体積増加操作６１８は、関連するコンセントレート容器１０６からマニホールド２１２への化学成分コンセントレートの流れを維持する。一態様に従い、体積増加操作６１８は、成分コンセントレートが関連するコンセントレート容器１０６からマニホールド２１２に引かれる流速を増加させることができる。体積増加操作６１８から、操作の流れは第１照会操作６１４に戻る。次いで、現在解析されている化学成分コンセントレートの現在の質量（重量）％がその化学成分コンセントレートの期待した質量（重量）％より大きいか、あるいはそれに等しくなるまで、操作の流れは第１照会操作６１４と体積増加操作６１８との間を通る。いったん現在の質量（重量）％が期待した質量（重量）％より大きいか、あるいはそれに等しくなる、すなわち、それ以上になると、操作の流れは流れ停止操作６２０に行く。流れ停止操作６２０は、関連するコンセントレート容器１０６からマニホールド２１２へ第１化学成分コンセントレートを引くことを停止させる。
【００６９】
流れ停止操作６２０後、操作の流れは第２照会操作６２２に行く。第２照会操作６２２は、その化学生成物を形成する各化学成分コンセントレートの現在の質量（重量）％が期待した質量（重量）％に対して解析されたかどうかを決定する。各化学成分コンセントレートが解析されていない場合、操作の流れは前述したように第１照会操作６１４に戻り、連続する。こうして、操作の流れは、化学生成物を構成する各化学成分コンセントレートについて、第１照会操作６１４、第２照会操作６２２、体積増加操作６１８および流れ停止操作６２０を反復する。化学生成物の形成において使用される全ての化学成分コンセントレートが解析された後、操作の流れは停止操作６２４において完結する。
【００７０】
明らかなように、本発明は、前述した目的および利点、ならびに本発明において固有のものを達成するために十分に適合する。現在好ましい態様を開示の目的で記載したが、本発明の範囲内で種々の変化および変性が可能である。例えば、流量計、例えば、図２に示され、関連するテキストに記載されている流量計２０２を各コンセントレート容器１０６に動作可能に結合させて、各化学成分コンセントレートの計量分配点において獲得された体積情報をコントローラ２０６に提供することができる。このような実行により、順次の方法よりむしろ、化学成分コンセントレートをマニホールド２１２に同時に提供することができる。それ自体、成分コンセントレートをマニホールド２１２内で組み合わせ、化学成分コンセントレートの組み合わせとして流量計２０２および計量分配ホース２１８に提供することができる。各流量計は、前述したように、化学成分コンセントレートを測定し、検知し、そしてモニターする。こうして、化学生成物は、各コンセントレートの適切な体積、すなわち、化学生成物の形成に必要な各コンセントレートのコンセントレートのレベルが計量分配ホースの中から外に計量分配位置２１０に計量分配された後、配合されると考えられる。それ自体当業者に容易に示唆し、添付された特許請求の範囲に開示され、規定された本発明の精神に包含される、多数の他の変化が可能である。
【図面の簡単な説明】
【００７１】
【図１】図１は、本発明の一態様および関連する環境に従う化学的計量分配システムの機能的ダイアグラムである。
【図２】図２は、本発明の一態様に従う図１に示す化学的計量分配システムの機能的構成成分を図解する簡素化ブロック図である。
【図３】図３Ａ、図３Ｂおよび図３Ｃは、本発明の一態様に従う図１に示す化学的計量分配システムの配合装置の代替的な図を示す。
【図４】図４は、本発明の一態様を実行できる、適当な計算環境のブロック図を示す。
【図５】図５は、本発明の一態様に従う化学生成物を配合する動作上の特性を図解するフロー図である。
【図６】図６は、本発明の一態様に従う化学生成物の配合をモニターし、コントロールする動作上の特性を図解するフロー図である。
【図２】
2005506895.tif 000003
【図４】
2005506895.tif 000004
【図５】
2005506895.tif 000005
【図６】
2005506895.tif 000006
【国際公開パンフレット】
2005506895.tif 000007
2005506895.tif 000008
2005506895.tif 000009
2005506895.tif 000010
2005506895.tif 000011
2005506895.tif 000012
2005506895.tif 000013
2005506895.tif 000014
2005506895.tif 000015
2005506895.tif 000016
2005506895.tif 000017
2005506895.tif 000018
2005506895.tif 000019
2005506895.tif 000020
2005506895.tif 000021
2005506895.tif 000022
2005506895.tif 000023
2005506895.tif 000024
2005506895.tif 000025
2005506895.tif 000026
2005506895.tif 000027
2005506895.tif 000028
2005506895.tif 000029
2005506895.tif 000030
2005506895.tif 000031
2005506895.tif 000032
2005506895.tif 000033
2005506895.tif 000034
2005506895.tif 000035
2005506895.tif 000036
2005506895.tif 000037
2005506895.tif 000038
2005506895.tif 000039
2005506895.tif 000040
2005506895.tif 000041
2005506895.tif 000042
2005506895.tif 000043
2005506895.tif 000044
2005506895.tif 000045
2005506895.tif 000046
2005506895.tif 000047
【手続補正書】
【提出日】平成15年1月23日(2003.1.23)
【手続補正１】
【補正対象書類名】特許請求の範囲
【補正対象項目名】全文
【補正方法】変更
【補正の内容】
【特許請求の範囲】
【請求項１】
複数の化学成分コンセントレートを使用する化学生成物を配合する配合装置と；
配合物と計量分配ホースとの間を操作可能に接続する流量計であって；計量分配ホースは化学成分コンセントレートを計量分配位置に計量分配し、流量計は計量分配ホースを通して流れる化学成分コンセントレートをモニターし、且つ各化学成分コンセントレートに関連する体積情報を測定するものと；
流量計が発生した体積情報を解析し、そして計量分配位置に計量分配される各化学成分コンセントレートの体積をコントロールする流量コントローラと；
を含む計量分配位置において化学生成物を形成する化学的計量分配システム。
【請求項２】
ヒト−機械インターフェースを更に含み、ヒト−機械インターフェースは流量計が測定した体積情報を受取り、そしてグラフィックユーザインターフェース上に体積情報を提示し、許可ユーザはグラフィックユーザインターフェースを通してヒト−機械インターフェースと相互作用して配合装置の作動をモニターすることができる、請求項１に記載の化学的計量分配システム。
【請求項３】
ヒト−機械インターフェースが受取った体積情報が計量分配位置に計量分配された複数の化学成分コンセントレートの各々に関連するアカウントデータの形態である、請求項２に記載の化学的計量分配システム。
【請求項４】
アカウントデータが計量分配位置に計量分配された複数の化学成分コンセントレートの各々の体積に対する不足額に関連する財政上の情報に関する、請求項３に記載の化学的計量分配システム。
【請求項５】
ヒト−機械インターフェースが受取った体積情報が、計量分配位置に計量分配された複数の化学成分コンセントレートの各々に関連する化学的データの形態である、請求項２に記載の化学的計量分配システム。
【請求項６】
許可ユーザが配合装置に入力された命令を通して化学的計量分配システムをコントロールできるように、ヒト−機械インターフェースが配合装置の１構成成分である、請求項２に記載の化学的計量分配システム。
【請求項７】
ユニバーサル通信装置を更に含み、このシステム上の計量分配動作を遠隔位置から操作し、限定できるように、ユニバーサル通信装置はヒト−機械インターフェースをネットワーク接続にわたってコーポレートサーバに接続する、請求項２に記載の化学的計量分配システム。
【請求項８】
複数のコンセントレートポンプを更に含み、各コンセントレートポンプは複数の化学成分コンセントレートの１つに関連し、配合装置から伝送された命令を受取ったとき、コンセントレート容器から関連する化学成分コンセントレートを抽出する、請求項１に記載の化学的計量分配システム。
【請求項９】
計量分配位置が充填ステーションに位置するジャグである、請求項１に記載の化学的計量分配システム。
【請求項１０】
計量分配位置がドラムである、請求項１に記載の化学的計量分配システム。
【請求項１１】
コントローラが受取った情報が、所定の時点における計量分配位置の１または２以上の他の化学成分コンセントレートに関する、化学成分コンセントレートの現在の質量（重量）％に関係し、計量分配位置において所定の質量（重量）％の化学成分コンセントレートを有する化学生成物が形成するように、コントローラは期待した質量（重量）％に対して質量（重量）％を解析して、計量分配ホースを通して流れる化学成分コンセントレートの体積を調節する、請求項１に記載の化学的計量分配システム。
【請求項１２】
現在の質量（重量）％が期待した質量（重量）％より低い場合、コントローラが計量分配ホースを通して流れる化学成分コンセントレートの体積を増加させる、請求項１１に記載の化学的計量分配システム。
【請求項１３】
現在の質量（重量）％が期待した質量（重量）％より大きい場合、コントローラが計量分配ホースを通る化学成分コンセントレートの流れを停止させる、請求項１１に記載の化学的計量分配システム。
【請求項１４】
化学成分コンセントレートをコンセントレート容器からマニホールドに移し、
化学成分コンセントレートをマニホールドから計量分配ホースを通して計量分配位置に送り、
マニホールドと計量分配ホースとの間を流れる化学成分コンセントレートを検知して、化学成分コンセントレートに関連する体積情報を測定し、
体積情報を解析して現在の質量（重量）％の化学成分コンセントレートを計量分配位置に計量分配させ、そして
所定の質量（重量）％の化学成分コンセントレートを有する化学生成物が形成するように、計量分配位置への化学成分コンセントレートの流れをコントロールする、
を含む、計量分配位置において化学生成物を形成する方法。
【請求項１５】
計量分配位置に計量分配される化学成分コンセントレートの体積の配送プルーフが記録されるように、体積情報をレコードにログインすることを更に含む、請求項１４に記載の方法。
【請求項１６】
レコードにログインされた体積情報を解析して、化学成分コンセントレートに関連するアカウントデータを発生させることを更に含む、請求項１５に記載の方法。
【請求項１７】
アカウントデータが、計量分配位置に計量分配された化学成分コンセントレートの体積についての不足額に関連する財政上の情報に関する、請求項１６に記載の方法。
【請求項１８】
所定の時点において計量分配位置に計量分配された１または２以上の他の化学成分コンセントレートに関係して、化学成分コンセントレートの現在の質量（重量）％を取り、そして解析行為が現在の質量（重量）％を所定の時点における期待した質量（重量）％と比較することを含む、請求項１４に記載の方法。
【請求項１９】
コントロール行為が、所定の質量（重量）％の化学成分コンセントレートを有する化学生成物が形成されるように、計量分配位置への化学成分コンセントレートの流れを調節することを含む、請求項１８に記載の方法。
【請求項２０】
調節行為が、現在の質量（重量）％が期待した質量（重量）％より低い場合、計量分配位置への化学成分コンセントレートの流れを維持することを含む、請求項１９に記載の方法。
【請求項２１】
調節行為が、現在の質量（重量）％が期待した質量（重量）％より大きいか、あるいはそれに等しい場合、コンセントレート容器とマニホールドとの間の化学成分コンセントレートの流れを停止することを含む、請求項１９に記載の方法。
【請求項２２】
計量分配位置が充填ステーションに位置するジャグである、請求項１４に記載の方法。
【請求項２３】
計量分配位置がドラムである、請求項１４に記載の方法。
【請求項２４】
化学成分コンセントレートを移し、通過させ、解析し、そしてコントロールする行為が、複数の化学成分コンセントレートについて同時に実施される、請求項１４に記載の方法。
【請求項２５】
コンピュータプロセスが、
化学成分コンセントレートをコンセントレート容器からマニホールドに移し、
化学成分コンセントレートをマニホールドから計量分配ホースを通して計量分配位置に送り、
マニホールドと計量分配ホースとの間を流れる化学成分コンセントレートを検知して、化学成分コンセントレートに関連する体積情報を測定し、
体積情報を解析して現在の質量（重量）％の化学成分コンセントレートを計量分配位置に計量分配させ、そして
所定の質量（重量）％の化学成分コンセントレートを有する化学生成物が形成するように、計量分配位置への化学成分コンセントレートの流れをコントロールする、
ことを含む、計算システムにより読取り可能であり、コンピュータプログラムをコード化してコンピュータプロセスを実行して、計量分配位置において化学生成物を形成する、コンピュータプログラム・ストレージ媒体。
【請求項２６】
コンピュータプロセスが、計量分配位置に計量分配される化学成分コンセントレートの体積の配送プルーフが記録されるように、体積情報をレコードにログインすることを更に含む、請求項２５に記載のコンピュータプログラム・ストレージ媒体。
【請求項２７】
コンピュータプロセスが、レコードにログインされた体積情報を解析して、化学成分コンセントレートに関連するアカウントデータを発生させることを更に含む、請求項２６に記載のコンピュータプログラム・ストレージ媒体。
【請求項２８】
アカウントデータが、計量分配位置に計量分配された化学成分コンセントレートの体積についての不足額に関連する財政上の情報に関する、請求項２７に記載のコンピュータプログラム・ストレージ媒体。
【請求項２９】
所定の時点において計量分配位置に計量分配された１または２以上の他の化学成分コンセントレートに関係して、化学成分コンセントレートの現在の質量（重量）％を取り、そして解析行為が現在の質量（重量）％を所定の時点における期待した質量（重量）％と比較することを含む、請求項２５に記載のコンピュータプログラム・ストレージ媒体。
【請求項３０】
コントロール行為が、所定の質量（重量）％の化学成分コンセントレートを有する化学生成物が形成するように、計量分配位置への化学成分コンセントレートの流れを調節することを含む、請求項２９に記載のコンピュータプログラム・ストレージ媒体。
【請求項３１】
調節行為が、現在の質量（重量）％が期待した質量（重量）％より低い場合、計量分配位置に流れる化学成分コンセントレートの流れを維持することを含む、請求項３０に記載のコンピュータプログラム・ストレージ媒体。
【請求項３２】
調節行為が、現在の質量（重量）％が期待した質量（重量）％より大きい場合、計量分配位置への化学成分コンセントレートの流れを停止することを含む、請求項３０に記載のコンピュータプログラム・ストレージ媒体。
【国際調査報告】
2005506895.tif 000048
2005506895.tif 000049
2005506895.tif 000050